(57)【要約】【課題】顔認識を行う利用者が特徴量を抽出する対象となる顔の部位を自分で選択することができ、マスクや眼帯を着けていたり、髪型が変わったりした場合であっても、選択した部位の特徴量を重視して他の部位の特徴量を軽減することによって、適切に顔認識を行うことができるようにする。【解決手段】利用者の顔画像を取得する画像入力部と、登録人物の顔の部位の特徴量を保存したデータベースと、前記利用者の顔画像から顔の部位の位置を検出する顔位置検出部と、顔の部位の特徴量を抽出する特徴量抽出部と、該特徴量抽出部が抽出した顔の部位の特徴量と、前記データベースに保存された登録人物の顔の部位の特徴量とを比較して、前記利用者を認識する認識部とを有する顔認識システムであって、特徴量を抽出する顔の部位を前記利用者が選択する。【選択図】図１
2007257221.tif 000002
【特許請求の範囲】
【請求項１】
（ａ）利用者の顔画像を取得する画像入力部と、
（ｂ）登録人物の顔の部位の特徴量を保存したデータベースと、
（ｃ）前記利用者の顔画像から顔の部位の位置を検出する顔位置検出部と、
（ｄ）顔の部位の特徴量を抽出する特徴量抽出部と、
（ｅ）該特徴量抽出部が抽出した顔の部位の特徴量と、前記データベースに保存された登録人物の顔の部位の特徴量とを比較して、前記利用者を認識する認識部とを有する顔認識システムであって、
（ｆ）特徴量を抽出する顔の部位を前記利用者が選択することを特徴とする顔認識システム。
【請求項２】
前記顔位置検出部は、前記利用者が選択した顔の部位の位置のみを検出する請求項１に記載の顔認識システム。
【請求項３】
前記利用者が操作して特徴量を抽出する顔の部位を選択する特徴量選択部を有する請求項１に記載の顔認識システム。
【請求項４】
（ａ）利用者の顔画像を取得する画像入力部と、
（ｂ）登録人物の顔の部位の特徴量を保存したデータベースと、
（ｃ）前記利用者の顔画像から顔の部位の位置を検出する顔位置検出部と、
（ｄ）顔の部位の特徴量を抽出する特徴量抽出部と、
（ｅ）該特徴量抽出部が抽出した顔の部位の特徴量と、前記データベースに保存された登録人物の顔の部位の特徴量とを比較して、前記利用者を認識する認識部とを有する顔認識システムであって、
（ｆ）特徴量を抽出する顔の部位を前記利用者の状態に合わせて自動的に選択することを特徴とする顔認識システム。
【請求項５】
前記利用者の顔画像を登録されたテンプレートとマッチングさせることによって、特徴量を抽出する顔の部位を選択する利用者状態検出部を有する請求項４に記載の顔認識システム。
【発明の詳細な説明】
【技術分野】
【０００１】
本発明は、顔認識システムに関するものである。
【背景技術】
【０００２】
従来、建物や該建物内の特定の場所に無資格者が進入することを防止するための個人認証装置、情報処理装置等の装置を無資格者が操作することを防止するための個人認証装置、インターネットを利用した電子商取引において本人確認を行うための個人認証装置等においては、鍵（かぎ）や暗証番号を使用することなく、本人の生物学的な特徴を利用して本人を確認するバイオメトリクス認証システムを利用した個人認証装置が提供されている（例えば、特許文献１参照。）。
【０００３】
そして、該バイオメトリクス認証システムを利用した個人認証装置においては、指紋によって認証するシステム、声紋によって認証するシステム、顔貌（ぼう）によって認証するシステム等が利用されている。
【０００４】
顔貌によって認証するシステム、すなわち、顔認識システムにおいては、顔認識を行う際に、顔画像から顔の特徴量を抽出し、事前に登録した特徴量との類似度を比較して認識するようになっている。この場合、両目及び口の位置を検出し、それにより、修正されたテンプレートを顔の特徴量とするテンプレートマッチング処理によって顔認識を行う。この際、顔画像としては、両目及び口が含まれていることが前提条件であり、両目の検出又は口の検出のいずれかに失敗した場合には、画像中に顔が存在しないと判断して警告を出すようになっている。
【特許文献１】特開２０００−１６３６００号公報
【発明の開示】
【発明が解決しようとする課題】
【０００５】
しかしながら、前記従来の顔認識システムにおいては、利用者がマスクを掛けていると、口を検出することができないので、適切に顔認識を行うことができなくなってしまう。例えば、冬季のように感冒が流行する時季や、春先のように花粉症が流行する時季には、利用者がマスクを掛けている場合が多い。このような場合、従来の顔認識システムを利用した個人認証装置では、口の特徴量がマスクの影響で大きく変わってしまうので、顔認識システムがマスクを掛けている顔を適切に認識をすることができず、利用者の本人確認に失敗してしまう。そのため、利用者は、認証時にマスクを外したりしなければならず、手間がかかり、煩わしく感じてしまう。
【０００６】
本発明は、前記従来の顔認識システムの問題点を解決して、特徴量を抽出する対象となる顔の部位を選択する特徴量選択部を有することによって、顔認識を行う利用者が特徴量を抽出する対象となる顔の部位を自分で選択することができ、マスクや眼帯を着けていたり、髪型が変わったりした場合であっても、選択した部位の特徴量を重視して他の部位の特徴量を軽減することによって、適切に顔認識を行うことができる顔認識システムを提供することを目的とする。
【課題を解決するための手段】
【０００７】
そのために、本発明の顔認識システムにおいては、利用者の顔画像を取得する画像入力部と、登録人物の顔の部位の特徴量を保存したデータベースと、前記利用者の顔画像から顔の部位の位置を検出する顔位置検出部と、顔の部位の特徴量を抽出する特徴量抽出部と、該特徴量抽出部が抽出した顔の部位の特徴量と、前記データベースに保存された登録人物の顔の部位の特徴量とを比較して、前記利用者を認識する認識部とを有する顔認識システムであって、特徴量を抽出する顔の部位を前記利用者が選択する。
【０００８】
本発明の他の顔認識システムにおいては、さらに、前記顔位置検出部は、前記利用者が選択した顔の部位の位置のみを検出する。
【０００９】
本発明の更に他の顔認識システムにおいては、さらに、前記利用者が操作して特徴量を抽出する顔の部位を選択する特徴量選択部を有する。
【００１０】
本発明の更に他の顔認識システムにおいては、利用者の顔画像を取得する画像入力部と、登録人物の顔の部位の特徴量を保存したデータベースと、前記利用者の顔画像から顔の部位の位置を検出する顔位置検出部と、顔の部位の特徴量を抽出する特徴量抽出部と、該特徴量抽出部が抽出した顔の部位の特徴量と、前記データベースに保存された登録人物の顔の部位の特徴量とを比較して、前記利用者を認識する認識部とを有する顔認識システムであって、特徴量を抽出する顔の部位を前記利用者の状態に合わせて自動的に選択する。
【００１１】
本発明の更に他の顔認識システムにおいては、さらに、前記利用者の顔画像を登録されたテンプレートとマッチングさせることによって、特徴量を抽出する顔の部位を選択する利用者状態検出部を有する。
【発明の効果】
【００１２】
本発明によれば、顔認識システムにおいては、特徴量を抽出する対象となる顔の部位を選択する特徴量選択部を有する。そのため、顔認識を行う利用者が特徴量を抽出する対象となる顔の部位を自分で選択することができ、マスクや眼帯を着けていたり、髪型が変わったりした場合であっても、選択した部位の特徴量を重視して他の部位の特徴量を軽減することによって、適切に顔認識を行うことができる。
【発明を実施するための最良の形態】
【００１３】
以下、本発明の実施の形態について図面を参照しながら詳細に説明する。
【００１４】
図１は本発明の第１の実施の形態における顔認識システムの構成を示す図である。
【００１５】
図において、１０はカメラ２１によって撮影した利用者１９の顔画像を取得して顔認識を行う顔認識システムであり、プログラムに従って動作を行う一種のコンピュータシステムである。前記顔認識システム１０は、利用者１９の生物学的な特徴の一つである顔貌によって、前記利用者１９の個人認証を行うために使用されるシステムであり、いかなる用途において使用されてもよい。例えば、マンション、工場、事務所等の特定の該建物や該建物内の特定の場所に入る際に本人確認を行うために利用される。また、飛行場におけるチェックイン等の際に航空券を所持する者の本人確認を行うために使用することもできる。さらに、銀行、郵便局、信用金庫等の金融機関の営業店の窓口において金融取引を依頼したり、ＡＴＭ（Ａｕｔｏｍａｔｉｃ  Ｔｅｌｌｅｒ  Ｍａｃｈｉｎｅ：現金自動預払機）等の自動取引装置を操作して金融取引を行ったりする際の本人確認を行うために使用することもできる。さらに、インターネットを利用した電子商取引において本人確認を行うために使用することもできる。
【００１６】
そして、前記利用者１９は、マンション、工場、事務所等の特定の建物や該建物内の特定の場所の住人、従業者等であってもよいし、飛行場においてチェックイン等を行う旅行者であってもよいし、金融機関の営業店の窓口において金融取引を依頼したり、自動取引装置を操作して金融取引を行ったりする顧客であってもよいし、インターネットを利用した電子商取引を行う者であってもよいし、前記顔認識システム１０を使用して本人確認を行う者であれば、いかなる者であってもよい。
【００１７】
また、前記カメラ２１は、ＣＣＤ（Ｃｈａｒｇｅ  Ｃｏｕｐｌｅｄ  Ｄｅｖｉｃｅ：電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子、光学レンズ、通信インターフェイス等を備え、前記顔認識システム１０に接続可能で、撮影した画像を電子データの形態で出力することができるものであれば、静止画を撮影するデジタルスチルカメラであってもよいし、動画を撮影するデジタルビデオカメラであってもよいし、いかなる形態のものであってもよい。前記カメラ２１は、例えば、特定の建物や該建物内の特定の場所の入口に配設された監視カメラであってもよいし、自動取引装置に内蔵された内蔵型カメラであってもよいし、パーソナルコンピュータ等に接続されたカメラであってもよいし、ノートブック型パーソナルコンピュータ、ＰＤＡ（Ｐｅｒｓｏｎａｌ  Ｄｉｇｉｔａｌ  Ａｓｓｉｓｔａｎｔ）、電子手帳、携帯電話機、ＰＨＳ（Ｐｅｒｓｏｎａｌ  Ｈａｎｄｙ−Ｐｈｏｎｅ  Ｓｙｓｔｅｍ）電話機等に内蔵されたカメラであってもよい。
【００１８】
そして、前記顔認識システム１０は、顔認識に用いる顔の特徴量を抽出する対象となる顔の部位を選択する特徴量選択部１１、カメラ２１から１フレーム毎の顔画像を取得する画像入力部１２、該画像入力部１２によって取得された画像中から利用者１９の顔の部位、例えば、目、口等の位置を検出する顔位置検出部１３、顔認識に用いる顔の特徴量として、目、口等の部位の特徴量を抽出する特徴量抽出部１４、あらかじめ登録された登録人物の顔の特徴量が保存されているデータベース１５、該データベース１５に保存されている各登録人物の特徴量と、前記特徴量抽出部１４で抽出された特徴量とを比較し、前記画像中の人物を認識する認識部１６、及び、該認識部１６の認識結果を出力する認識結果出力部１７を有する。なお、顔認識に用いる特徴量を抽出する対象となる顔の部位は、目、口、耳、鼻等であるが、生物学的な特徴を利用して本人を確認することができるものであれば、顔のいかなる部位であってもよい。ここでは、前記部位が目及び口であるものとして説明する。
【００１９】
ここで、前記特徴量選択部１１は、特徴量を抽出する対象となる顔の部位を利用者１９が状況に応じて選択する手段であり、例えば、利用者１９がマスクを掛けている場合には目の特徴量を重視し、そうではない場合、すなわち、マスクを掛けていない場合には目及び口の特徴量を利用するように選択することができる。
【００２０】
また、前記画像入力部１２は、利用者１９の顔画像を撮影するための撮影手段としてのカメラ２１と、有線又は無線のネットワークを介して通信可能に接続され、前記カメラ２１から利用者１９の顔画像を取得する。なお、該顔画像はデジタルの画像データであることが望ましい。また、前記ネットワークは、ＵＳＢ（Ｕｎｉｖｅｒｓａｌ  Ｓｅｒｉａｌ  Ｂｕｓ）ケーブル等の通信ケーブルであってもよいし、電話回線網、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信回線網であってもよい。
【００２１】
さらに、前記認識結果出力部１７は、スピーカ２２及びモニタ２３と有線又は無線のネットワークを介して通信可能に接続され、認識結果を前記スピーカ２２又はモニタ２３に出力するためのメッセージや画像を作成する。ここで、前記スピーカ２２は、いかなる形態のものであってもよいし、いかなる場所に配設されたものであってもよい。例えば、特定の建物や該建物内の特定の場所の入口に配設されたインターホン等のスピーカであってもよいし、自動取引装置に内蔵された内蔵型スピーカであってもよいし、パーソナルコンピュータ等に接続されたスピーカであってもよいし、ノートブック型パーソナルコンピュータ、ＰＤＡ、電子手帳、携帯電話機、ＰＨＳ電話機等に内蔵されたスピーカであってもよい。
【００２２】
また、前記モニタ２３は、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段を備えるものであり、いかなる形態のものであってもよいし、いかなる場所に配設されたものであってもよい。例えば、特定の建物や該建物内の特定の場所の入口に配設されたモニタであってもよいし、自動取引装置の表示手段であってもよいし、パーソナルコンピュータ等に接続されたモニタであってもよいし、ノートブック型パーソナルコンピュータ、ＰＤＡ、電子手帳、携帯電話機、ＰＨＳ電話機等が備えるモニタであってもよい。
【００２３】
さらに、前記ネットワークは、ＵＳＢケーブル等の通信ケーブルであってもよいし、電話回線網、インターネット、ＬＡＮ、ＷＡＮ等の通信回線網であってもよい。
【００２４】
また、前記顔認識システム１０は、ＣＰＵ、ＭＰＵ等の演算手段、磁気ディスク、半導体メモリ等の記憶手段、入出力インターフェイス等を備えるものであれば、いかなる種類のコンピュータに組み込まれたものであってもよく、例えば、パーソナルコンピュータに組み込まれたものであってよいし、サーバに組み込まれたものであってもよいし、複数台のコンピュータをネットワークによって接続したコンピュータネットワークに組み込まれたものであってもよい。
【００２５】
次に、前記構成の顔認識システム１０の動作について説明する。
【００２６】
図２は本発明の第１の実施の形態における特徴量選択画面の例を示す図、図３は本発明の第１の実施の形態における顔位置検出処理の動作を示すフローチャート、図４は本発明の第１の実施の形態における特徴量抽出処理の動作を示すフローチャートである。
【００２７】
まず、利用者１９は、特徴量選択部１１によって、特徴量を抽出する対象となる顔の部位をどこにするか、すなわち、顔の特徴量として顔のどの部位を重視するかを選択する。この場合、顔認識システム１０は、例えば、図２に示されるような特徴量選択画面をモニタ２３に表示させ、マスクを掛けているか否かを利用者１９に選択させる。そして、マスクを掛けていることが選択された場合には、顔の特徴量として目の特徴量を利用することが選択されたものとする。また、マスクを掛けていないことが選択された場合には、目と口の特徴量を利用することが選択されたものとする。
【００２８】
なお、同様にして、眼帯を着けているか否かを利用者１９に選択させることもできる。そして、眼帯を着けていることが選択された場合には、顔の特徴量として口の特徴量を利用することが選択されたものとする。また、眼帯を着けていないことが選択された場合には、目と口の特徴量を利用することが選択されたものとする。さらに、同様にして、髪型が大きく変化したか否かを利用者１９に選択させることもできる。
【００２９】
続いて、画像入力部１２は、カメラ２１が撮影した利用者１９の顔画像を１フレーム毎に取得する。
【００３０】
続いて、顔位置検出部１３は、前記画像入力部１２が取得した顔画像から、顔の各部位の位置を検出する。この場合、特徴量選択部１１によって選択された部位の位置のみを検出する。例えば、目及び口のそれぞれに対して、特徴量を利用する場合にはそれぞれの位置を順に検出する。まず、目の特徴量を利用することが選択されたか否かを判断し、選択された場合には目の位置を検出する。また、選択されていない場合には目の位置を検出しない。続いて、口の特徴量を利用することが選択されたか否かを判断し、選択された場合には口の位置を検出する。また、選択されていない場合には口の位置を検出しない。
【００３１】
なお、顔の各部位を検出する方法としては、例えば、肌色で顔の大まかな位置を求めた後、低周波フィルタによるフィルタリング結果の射影ヒストグラム及びテンプレートマッチングによって各部位の位置を求める方法が、顔部品探索方法として知られている（例えば、特許文献２参照。）ので、ここでは、説明を省略する。
【００３２】
［特許文献２］特開２００３−２８１５３９号公報
続いて、特徴量抽出部１４は、顔認識に用いる特徴量を抽出する。この際、特徴量選択部１１によって選択された部位のみを対象として特徴量を抽出する。例えば、選択された目又は口を対象として、特徴量を抽出する。顔認識に用いる特徴量としては、例えば、目、鼻、口に対して数種類のガボールフィルタを使用してフィルタリングする方法が知られている（例えば、非特許文献１参照。）ので、ここでは、説明を省略する。
【００３３】
［非特許文献１］「特徴点自動抽出を用いたガボール変換による顔認識」吉田、呉、塩山、電子情報通信学会技術研究報告ＰＲＭＵ２００１−２０２
なお、データベース１５には、１人以上の登録人物の顔の特徴量が保存されており、各登録人物の顔画像から抽出した顔のすべての部位（例えば、目、口、耳、鼻等）の特徴量が保存されている。
【００３４】
続いて、認識部１６は、前記特徴量抽出部１４が利用者１９の顔画像から抽出した特徴量と、データベース１５に保存されている登録人物の顔の特徴量とを比較して、顔認識を行う。この場合、前記認識部１６は、特徴量選択部１１によって選択された部位（例えば、目又は口）に関して、利用者１９の顔画像から抽出した特徴量と、登録人物の特徴量とを比較し、認識スコアを算出する。なお、該認識スコアを算出する場合のパターンマッチング方法としては、例えば、正規化した相互相関（例えば、非特許文献２参照。）を使用する方法が知られているので、ここでは、説明を省略する。
【００３５】
［非特許文献２］「画像の処理と認識」安居院、長尾
ここで、前記認識スコアは各登録人物の特徴量に対して算出される。そして、前記認識スコアが最大で、かつ、所定閾（しきい）値を超える場合、前記認識部１６は、該当する登録人物が前記利用者１９であると判断する。すなわち、該利用者１９は、前記登録人物と同一人物であり、顔認識に成功したと判断する。また、それ以外の場合、前記認識部１６は、顔認識に失敗したと判断する。
【００３６】
そして、認識結果出力部１７は、前記認識部１６の認識結果、すなわち、利用者１９の顔認識に成功したか又は失敗したかを、スピーカ２２及びモニタ２３から、音声又は画像によって出力する。これにより、認識結果が利用者１９に伝えられる。
【００３７】
次に、図３に示されるフローチャートについて説明する。
ステップＳ１  目の特徴量を利用することが選択されたか否かを判断する。目の特徴量を利用することが選択された場合はステップＳ２に進み、目の特徴量を利用することが選択されていない場合はステップＳ３に進む。
ステップＳ２  目の位置を検出する。
ステップＳ３  口の特徴量を利用することが選択されたか否かを判断する。口の特徴量を利用することが選択された場合はステップＳ４に進み、口の特徴量を利用することが選択されていない場合は処理を終了する。
ステップＳ４  口の位置を検出して、処理を終了する。
【００３８】
次に、図４に示されるフローチャートについて説明する。
ステップＳ１１  目の特徴量を利用することが選択されたか否かを判断する。目の特徴量を利用することが選択された場合はステップＳ１２に進み、目の特徴量を利用することが選択されていない場合はステップＳ１３に進む。
ステップＳ１２  目の特徴量を抽出する。
ステップＳ１３  口の特徴量を利用することが選択されたか否かを判断する。口の特徴量を利用することが選択された場合はステップＳ１４に進み、口の特徴量を利用することが選択されていない場合は処理を終了する。
ステップＳ１４  口の特徴量を抽出して、処理を終了する。
【００３９】
このように、本実施の形態においては、利用者１９が自分の状態に合わせて、顔の特徴量として顔のどの部位を重視するかを選択して、特徴量の設定を意図的に行うことができる。これにより、マスクを掛けた状態、眼帯を着けている状態、髪型が登録時と大きく変化した状態等でも利用者１９の顔認識を適切に行うことができる。そのため、認証時にマスクや眼帯を取り外すことが不要となり、利用者１９の負担を軽減させることができる。
【００４０】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４１】
図５は本発明の第２の実施の形態における顔認識システムの構成を示す図である。
【００４２】
図に示されるように、本実施の形態における顔認識システム１０は、画像入力部１２、顔位置検出部１３、特徴量抽出部１４、データベース１５、認識部１６、認識結果出力部１７及び利用者状態検出部１８を有する。なお、特徴量選択部１１は省略されている。そして、前記利用者状態検出部１８は、顔位置検出部１３によって検出された結果に基づいて利用者１９の状態を検出するものであり、例えば、利用者１９がマスクを掛けているか否かを判断する。なお、その他の点の構成については、前記第１の実施の形態と同様であるので説明を省略する。
【００４３】
次に、本実施の形態における顔認識システム１０の動作について説明する。
【００４４】
まず、画像入力部１２は、カメラ２１が撮影した利用者１９の顔画像を１フレーム毎に取得する。
【００４５】
続いて、顔位置検出部１３は、前記画像入力部１２が取得した顔画像から、顔の各部位の位置を検出する。
【００４６】
続いて、利用者状態検出部１８は、前記顔位置検出部１３が検出した顔の各部位の位置情報を利用して、前記利用者１９の状態を検出する。例えば、目の位置から口の位置を推定し、推定した口の位置付近を、あらかじめ登録データとして登録されている口のテンプレートとマッチングさせる。そして、推定した口の位置付近と口のテンプレートとの相互相関値が所定閾値以下の場合、前記利用者状態検出部１８は、マスクの影響によって口が見えていないと判断し、口の特徴量を顔認識に利用しないように選択する。
【００４７】
また、前記利用者状態検出部１８は、同様に、例えば、推定した目の位置付近を、あらかじめ登録データとして登録されている目のテンプレートとマッチングさせる。そして、推定した目の位置付近と目のテンプレートとの相互相関値が所定閾値以下の場合、利用者状態検出部１８は、眼帯や髪型の影響によって目が見えていないと判断し、目の特徴量を顔認識に利用しないように選択する。
【００４８】
続いて、特徴量抽出部１４は、顔認識に用いる特徴量を抽出する。この際、前記利用者状態検出部１８によって選択された部位のみを対象として特徴量を抽出する。
【００４９】
続いて、認識部１６は、前記特徴量抽出部１４が利用者１９の顔画像から抽出した特徴量と、データベース１５に保存されている登録人物の顔の特徴量とを比較して、顔認識を行う。
【００５０】
そして、認識結果出力部１７は、前記認識部１６の認識結果、すなわち、利用者１９の顔認識に成功したか又は失敗したかを、スピーカ２２及びモニタ２３から、音声又は画像によって出力する。これにより、認識結果が利用者１９に伝えられる。
【００５１】
このように、本実施の形態においては、利用者１９の状態に合わせて、顔の特徴量として顔のどの部位を重視するかを自動的に選択するようになっている。これにより、マスクを掛けた状態、眼帯を着けている状態、髪型が登録時と大きく変化した状態等でも利用者１９の顔認識を適切に行うことができる。そのため、認証時にマスクや眼帯を取り外すことが不要となり、利用者１９の負担を軽減させることができる。
【００５２】
なお、本発明は前記実施の形態に限定されるものではなく、本発明の趣旨に基づいて種々変形させることが可能であり、それらを本発明の範囲から排除するものではない。
【図面の簡単な説明】
【００５３】
【図１】本発明の第１の実施の形態における顔認識システムの構成を示す図である。
【図２】本発明の第１の実施の形態における特徴量選択画面の例を示す図である。
【図３】本発明の第１の実施の形態における顔位置検出処理の動作を示すフローチャートである。
【図４】本発明の第１の実施の形態における特徴量抽出処理の動作を示すフローチャートである。
【図５】本発明の第２の実施の形態における顔認識システムの構成を示す図である。
【符号の説明】
【００５４】
１０    顔認識システム
１１    特徴量選択部
１２    画像入力部
１３    顔位置検出部
１４    特徴量抽出部
１５    データベース
１６    認識部
１８    利用者状態検出部
１９    利用者
【図１】
2007257221.tif 000003
【図２】
2007257221.tif 000004
【図３】
2007257221.tif 000005
【図４】
2007257221.tif 000006
【図５】
2007257221.tif 000007